(57)【要約】【課題】ディスク交換についての各ユーザー間の調停を簡単かつ迅速に行うことができるようにする。【解決手段】システムコントローラ５０は、いずれかのユーザー端末からディスク交換要求があったとき、他のユーザー端末に交換の可否を尋ね、各ユーザー端末の間での多数決によって、ディスク交換が了承されたか否かを判断する。ディスク交換が了承されたと判断した場合、ディスク交換操作をする。ディスク交換操作中に、いずれかのユーザー端末からディスク決定要求があったときは、他のユーザー端末に決定の可否を尋ね、各ユーザー端末の間での多数決によって、ディスク決定が了承されたか否かを判断する。ディスク決定が了承されたと判断した場合は、そのときメカデッキ部２０にロードされている光ディスクを交換後のディスクとして決定する。【選択図】図２
2005251324.tif 000002
【特許請求の範囲】
【請求項１】
複数枚のディスク媒体が収納されるディスクチェンジャー部と、
このディスクチェンジャー部に収納された複数枚のディスク媒体から選択された１枚のディスク媒体がロードされることによって、その１枚のディスク媒体からデータを再生するメカデッキ部と、
その再生されたデータを、複数のユーザー端末に送信するとともに、各ユーザー端末からの、ディスク交換要求を含むコマンドを受信する送受信部と、
前記ディスクチェンジャー部、前記メカデッキ部および前記送受信部を制御する制御部とを備え、
その制御部は、いずれかのユーザー端末からディスク交換要求があったとき、他のユーザー端末に対してディスク交換の可否を尋ね、これに対する他のユーザー端末からの応答に応じて、再生するディスク媒体を交換するか否かを判断することを特徴とするディスク再生装置。
【請求項２】
複数枚のディスク媒体が収納されるディスクチェンジャー部と、
このディスクチェンジャー部に収納された複数枚のディスク媒体から選択された１枚のディスク媒体がロードされることによって、その１枚のディスク媒体からデータを再生するメカデッキ部と、
その再生されたデータを、複数のユーザー端末に送信するとともに、各ユーザー端末からの、ディスク交換要求を含むコマンドを受信する送受信部と、
前記ディスクチェンジャー部、前記メカデッキ部および前記送受信部を制御する制御部とを備え、
その制御部は、いずれかのユーザー端末からディスク交換要求があったとき、当該ユーザー端末の優先順位に応じて、再生するディスク媒体を交換するか否かを判断することを特徴とするディスク再生装置。
【請求項３】
請求項１または２のディスク再生装置と、このディスク再生装置からの再生出力を受信し、このディスク再生装置に対して前記ディスク交換要求を含むコマンドを送信するユーザー端末とを備えるディスク再生システム。
【請求項４】
収納された複数枚のディスク媒体から１枚のディスク媒体を選択し、その選択した１枚のディスク媒体からデータを再生して、その再生出力を複数のユーザー端末に送信するディスク再生装置におけるディスク選定方法であって、
いずれかのユーザー端末からディスク交換要求があったとき、他のユーザー端末に対してディスク交換の可否を尋ねる第1工程と、
これに対する他のユーザー端末からの応答を受信し、各ユーザー端末の間での多数決によって、ディスク交換が了承されたか否かを判断し、ディスク交換が了承されたと判断した場合に、再生するディスク媒体を交換する第２工程と、
を備えることを特徴とするディスク選定方法。
【請求項５】
請求項４のディスク選定方法において、
前記第２工程で、再生するディスク媒体を交換する場合に、いずれかのユーザー端末からディスク決定要求があったとき、他のユーザー端末に対してディスク決定の可否を尋ねる第３工程と、
これに対する他のユーザー端末からの応答を受信し、各ユーザー端末の間での多数決によって、ディスク決定が了承されたか否かを判断して、ディスク決定が了承されたと判断した場合に、再生するディスク媒体を、そのとき交換されているディスク媒体に決定する第４工程と、
を備えることを特徴とするディスク選定方法。
【請求項６】
請求項４のディスク選定方法において、
前記第２工程で、再生するディスク媒体を交換する場合に、いずれかのユーザー端末からディスク決定要求があったとき、当該ユーザー端末の優先順位が最高順位であるか否かを判断する第３工程と、
この第３工程で、当該ユーザー端末の優先順位が最高順位であると判断した場合に、再生するディスク媒体を、そのとき交換されているディスク媒体に決定する第４工程と、
前記第３工程で、当該ユーザー端末の優先順位が最高順位ではないと判断した場合に、優先順位が最高順位の他のユーザー端末に対してディスク決定の可否を尋ねる第５工程と、
これに対する他のユーザー端末からの応答が、ディスク決定を了承するものであるとき、再生するディスク媒体を、そのとき交換されているディスク媒体に決定する第６工程と、
を備えることを特徴とするディスク選定方法。
【請求項７】
収納された複数枚のディスク媒体から１枚のディスク媒体を選択し、その選択した１枚のディスク媒体からデータを再生して、その再生出力を複数のユーザー端末に送信するディスク再生装置におけるディスク選定方法であって、
いずれかのユーザー端末からディスク交換要求があったとき、当該ユーザー端末の優先順位が最高順位であるか否かを判断する第１工程と、
この第１工程で、当該ユーザー端末の優先順位が最高順位であると判断した場合に、再生するディスク媒体を交換する第２工程と、
前記第１工程で、当該ユーザー端末の優先順位が最後順位ではないと判断した場合に、優先順位が最高順位の他のユーザー端末に対してディスク交換の可否を尋ねる第３工程と、
これに対する他のユーザー端末からの応答が、ディスク交換を了承するものであるとき、再生するディスク媒体を交換する第４工程と、
を備えることを特徴とするディスク選定方法。
【請求項８】
請求項７のディスク選定方法において、
前記第２工程または前記第４工程で、再生するディスク媒体を交換する場合に、いずれかのユーザー端末からディスク決定要求があったとき、当該ユーザー端末の優先順位が最高順位であるか否かを判断する第５工程と、
この第５工程で、当該ユーザー端末の優先順位が最高順位であると判断した場合に、再生するディスク媒体を、そのとき交換されているディスク媒体に決定する第６工程と、
前記第５工程で、当該ユーザー端末の優先順位が最高順位ではないと判断した場合に、優先順位が最高順位の他のユーザー端末に対してディスク決定の可否を尋ねる第７工程と、
これに対する他のユーザー端末からの応答が、ディスク決定を了承するものであるとき、再生するディスク媒体を、そのとき交換されているディスク媒体に決定する第８工程と、
を備えることを特徴とするディスク選定方法。
【請求項９】
請求項７のディスク選定方法において、
前記第２工程または前記第４工程で、再生するディスク媒体を交換する場合に、いずれかのユーザー端末からディスク決定要求があったとき、他のユーザー端末に対してディスク決定の可否を尋ねる第５工程と、
これに対する他のユーザー端末からの応答を受信し、各ユーザー端末の間での多数決によって、ディスク決定が了承されたか否かを判断して、ディスク決定が了承されたと判断した場合に、再生するディスク媒体を、そのとき交換されているディスク媒体に決定する第６工程と、
を備えることを特徴とするディスク選定方法。
【発明の詳細な説明】
【技術分野】
【０００１】
この発明は、ディスク交換によって選択されたディスク媒体からデータを再生する装置およびシステム、および、そのディスク再生装置におけるディスク選定方法に関する。
【背景技術】
【０００２】
音楽データや映像データなどのデータが記録されたＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などのディスク媒体を複数枚収納することができ、ディスク交換によって、その中から１枚のディスク媒体を選択して、データを再生するディスクチェンジャーシステムが考えられ、実用化されている。
【０００３】
特許文献１（特開２０００−５７７５４号公報）には、このようなディスクチェンジャーシステムにおいて、システム初期化後、電源が遮断されても、電源が再投入された時、直ちに、それぞれのディスク媒体を識別できるようにすることが示されている。
【０００４】
また、ディスク媒体から再生されたデータを、複数のユーザーの鑑賞に供するために、複数のユーザー端末に送信することが考えられ、上記のようなディスクチェンジャーシステムでも、ディスク交換によって選択されたディスク媒体から再生されたデータを、複数のユーザーの鑑賞に供するために、複数のユーザー端末に送信することが考えられる。
【０００５】
さらに、光ディスクなどのディスク媒体は、ランダムアクセスおよびマルチアクセスが可能であることから、複数のユーザーが、多数の曲や映像タイトルが収録された１枚のディスク媒体に同時にアクセスして、各自の希望する曲や映像タイトルを再生し、鑑賞することが考えられ、上記のようなディスクチェンジャーシステムでも、このようなマルチアクセスによるマルチチャンネル再生を可能とすることが考えられる。
【０００６】
上に挙げた先行技術文献は、以下の通りである。
【特許文献１】特開２０００−５７７５４号公報
【発明の開示】
【発明が解決しようとする課題】
【０００７】
しかし、上述したように、ディスクチェンジャー型のディスク再生システムで、ディスク交換によって選択されたディスク媒体から再生されたデータを、複数のユーザー端末に送信する場合、ディスク交換については、交換を可とするか否かにつき、各ユーザー間で調停を必要とする。
【０００８】
しかしながら、ユーザー同士が離れている場合には、調停を行うことができず、また、調停を行うこと自体は可能でも、各ユーザー間でディスク交換につき賛否が分かれるために、調整に時間がかかる場合がある。
【０００９】
そこで、この発明は、ディスク交換についての各ユーザー間の調停を簡単かつ迅速に行うことができ、ユーザーの利便性を向上させることができるようにしたものである。
【課題を解決するための手段】
【００１０】
第１の発明のディスク再生装置は、
複数枚のディスク媒体が収納されるディスクチェンジャー部と、
このディスクチェンジャー部に収納された複数枚のディスク媒体から選択された１枚のディスク媒体がロードされることによって、その１枚のディスク媒体からデータを再生するメカデッキ部と、
その再生されたデータを、複数のユーザー端末に送信するとともに、各ユーザー端末からの、ディスク交換要求を含むコマンドを受信する送受信部と、
前記ディスクチェンジャー部、前記メカデッキ部および前記送受信部を制御する制御部とを備え、
その制御部は、いずれかのユーザー端末からディスク交換要求があったとき、他のユーザー端末に対してディスク交換の可否を尋ね、これに対する他のユーザー端末からの応答に応じて、再生するディスク媒体を交換するか否かを判断することを特徴とする。
【００１１】
第２の発明のディスク再生装置は、
複数枚のディスク媒体が収納されるディスクチェンジャー部と、
このディスクチェンジャー部に収納された複数枚のディスク媒体から選択された１枚のディスク媒体がロードされることによって、その１枚のディスク媒体からデータを再生するメカデッキ部と、
その再生されたデータを、複数のユーザー端末に送信するとともに、各ユーザー端末からの、ディスク交換要求を含むコマンドを受信する送受信部と、
前記ディスクチェンジャー部、前記メカデッキ部および前記送受信部を制御する制御部とを備え、
その制御部は、いずれかのユーザー端末からディスク交換要求があったとき、当該ユーザー端末の優先順位に応じて、再生するディスク媒体を交換するか否かを判断することを特徴とする。
【００１２】
上記のように構成した第１または第２の発明のディスク再生装置では、ユーザー同士が離れている場合でも、ディスク交換につき調停を行うことができるとともに、各ユーザー間でディスク交換につき賛否が分かれる場合でも、短時間で迅速に、ディスク交換を行うか否かが決定される。
【発明の効果】
【００１３】
以上のように、この発明によれば、ディスク交換についての各ユーザー間の調停を簡単かつ迅速に行うことができ、ユーザーの利便性を向上させることができる。
【発明を実施するための最良の形態】
【００１４】
〔１．ディスク再生装置およびディスク再生システムの例：図１および図２〕
図１は、この発明のディスク再生装置の一例を示し、複数枚の光ディスクから選択された１枚の光ディスクから、これに記録されている音楽データや映像データなどのコンテンツデータを再生する、マルチアクセスによるマルチチャンネル再生が可能なものである。
【００１５】
ディスク再生装置１００は、ディスクチェンジャー部１０を備え、そのディスクチェンジャー部１０は、複数枚の光ディスク１ａ，１ｂ，１ｃ，１ｄ，１ｅを収納することができ、ディスクチェンジャーコントローラ１１によって、そのうちの１枚の光ディスクを選択して、メカデッキ部２０にロードするものである。以下では、選択されてメカデッキ部２０にロードされる、またはロードされた光ディスクを、光ディスク１とする。
【００１６】
ディスクチェンジャーコントローラ１１は、システムコントローラ５０からの命令によって、ディスクチェンジャー部１０内のどの光ディスクをメカデッキ部２０にロードし、かつメカデッキ部２０にロードされている光ディスク１をディスクチェンジャー部１０内のどのステージに戻すかを決定するとともに、その決定に従って、図では省略したディスクチェンジャー機構部を制御して、光ディスク１をメカデッキ部２０にロードし、かつ光ディスク１をメカデッキ部２０から取り外してディスクチェンジャー部１０内に戻す。
【００１７】
メカデッキ部２０にロードされた光ディスク１は、スピンドルモータ２１によって回転駆動される。光ヘッド（光ピックアップ）２３は、スレッド２５に取り付けられ、スレッドモータ２６によって、スレッド軸２７に沿って、光ディスク１の径方向に移動させられる。
【００１８】
光ヘッド２３の読み取り出力は、ＲＦアンプ３１に供給されて、ＲＦアンプ３１から、フォーカスエラー信号、トラッキングエラー信号および記録データが得られる。
【００１９】
そのフォーカスエラー信号およびトラッキングエラー信号は、サーボコントローラ２９に供給され、サーボコントローラ２９からのフォーカスサーボ制御信号およびトラッキングサーボ制御信号によって、光ヘッド２３のフォーカシングおよびトラッキングが制御される。
【００２０】
記録データは、復調回路３２で復調され、エラー訂正される。記録データとしては、アドレス情報、ディスク識別情報を含むコンテンツ管理情報、および音楽データや映像データなどのコンテンツデータが得られる。
【００２１】
アドレス情報およびコンテンツ管理情報は、システムコントローラ５０に取り込まれ、サーボコントローラ２９によるスピンドルモータ２１およびスレッドモータ２６の駆動制御による光ディスク１へのアクセスに用いられる。コンテンツ管理情報は、また、ディスク交換などに用いられる。
【００２２】
復調回路３２からのコンテンツデータは、チャンネル分割回路３３で、この例では最大５チャンネルの範囲内で、そのときの光ディスク１へのアクセスチャンネル数分に分割される。
【００２３】
分割されたチャンネル１，２，３，４，５のコンテンツデータは、バッファメモリ３４１，３４２，３４３，３４４，３４５に蓄積された後、バッファメモリ３４１，３４２，３４３，３４４，３４５から読み出されて、デコーダ３５１，３５２，３５３，３５４，３５５でデコードされ、最大５チャンネルの再生出力が得られる。各チャンネルの再生出力は、送受信部４０によって、後述する各チャンネルのユーザー端末に送信される。
【００２４】
バッファメモリ３４１，３４２，３４３，３４４，３４５としては、あらかじめ５チャンネル分が用意され、または、ＤＲＡＭ（Ｄｙｎａｍｉｃ  ＲＡＭ）などのメモリ上に、そのときのアクセスチャンネル数分のバッファメモリが設定される。
【００２５】
システムコントローラ５０は、図では省略したが、ＣＰＵ、このＣＰＵが実行する後述のディスク交換決定処理ルーチンなどの各種プログラムおよび必要な固定データが記録されたＲＯＭ、およびプログラムやデータが展開されるＲＡＭによって、コンピュータとして構成される。システムコントローラ５０には、操作部６０および表示部７０が接続される。
【００２６】
図２は、この発明のディスク再生システムの一例を示す。この例のディスク再生システムは、図１の例のようなディスク再生装置１００、および各チャンネル（各ユーザー用）のユーザー端末２０１，２０２，２０３，２０４，２０５によって構成される。
【００２７】
ディスク再生装置１００のディスクチェンジャー部１０に収納された光ディスク１ａ〜１ｅ、すなわちメカデッキ部２０にロードされる光ディスク１には、例えば、複数の曲または映像タイトルのデータが記録され、ディスク再生装置１００では、上述したように、その曲または映像タイトルのデータが再生されて、その再生出力が、送受信部４０から、ディスク再生装置１００とユーザー端末２０１〜２０５との間の有線または無線の通信によって、ユーザー端末２０１〜２０５に送信される。
【００２８】
ユーザー端末２０１〜２０５では、それぞれ、その送信された再生出力、すなわち曲または映像タイトルのデータが、送受信部２１１で受信され、再生処理部２１２で処理されて、出力端子２１６に、曲の音声信号、または映像タイトルの映像信号および音声信号が得られる。
【００２９】
したがって、各ユーザーは、自身のユーザー端末２０１〜２０５の出力端子２１６に、ヘッドホンやイヤホンなどの音響出力装置を接続し、または液晶ディスプレイなどの映像表示装置およびスピーカなどの音響出力装置を接続することによって、再生された曲を聴き、または再生された映像タイトルを鑑賞することができる。
【００３０】
ユーザー端末２０１〜２０５は、それぞれ、送受信部２１１および再生処理部２１２のほかに、端末コントローラ２１３、操作部２１４および表示部２１５を備える。
【００３１】
ユーザーは、操作部２１４で、曲や映像タイトルの再生指示などの光ディスク１へのアクセス要求、および後述のディスク交換要求やディスク決定要求などの操作を行う。
【００３２】
操作部２１４での操作によるコマンドは、端末コントローラ２１３から送受信部２１１に送られ、送受信部２１１によってディスク再生装置１００に送信される。ディスク再生装置１００では、その送信されたコマンドが、送受信部４０で受信され、システムコントローラ５０に取り込まれて、後述のように光ディスク１へのアクセスやディスク交換決定処理などが実行される。
【００３３】
表示部２１５は、液晶ディスプレイなどからなるもので、後述のように、ディスク交換要求やディスク決定要求があった際などには、この表示部２１５上に、そのことが表示される。
【００３４】
このディスク再生システムは、具体的に、車載用の音楽再生システムや家庭用の映像再生システムなどとして構成される。
【００３５】
車載用の音楽再生システムの場合には、光ディスク１ａ〜１ｅには、それぞれ多数の曲データが記録され、例えば、ディスク再生装置１００は、車の前方座席の前方部などに設置され、チャンネル１のユーザーは、運転者で、チャンネル１のユーザー端末２０１には、前方座席の左右位置などに設けられる左右のスピーカが接続され、チャンネル２のユーザーは、助手席に座る者で、チャンネル２のユーザー端末２０２には、ヘッドホンなどが接続され、チャンネル３，４，５のユーザーは、それぞれ後部座席に座る者で、チャンネル３，４，５のユーザー端末２０３，２０４，２０５には、それぞれヘッドホンなどが接続される。
【００３６】
これによって、それぞれのユーザーは、ユーザー端末２０１〜２０５の操作部２１４での操作によって光ディスク１にアクセスし、ディスク再生装置１００からの再生出力をユーザー端末２０１〜２０５で受信して、各自の希望する曲を聴くことができる。
【００３７】
家庭用の映像再生システムの場合には、光ディスク１ａ〜１ｅには、それぞれ映画の各シーンや連続ドラマの各ストーリー部分などの映像タイトルの映像音声データが記録され、例えば、ディスク再生装置１００は、住居のリビングルームに設置され、チャンネル１のユーザー端末２０１は、リビングルームで映像を鑑賞するユーザーのために、リビングルームに設けられ、チャンネル２，３，４，５のユーザー端末２０２，２０３，２０４，２０５は、家族の各自が各自の部屋で映像を鑑賞できるように、各自の部屋に設けられる。
【００３８】
これによって、それぞれのユーザーは、ユーザー端末２０１〜２０５の操作部２１４での操作によって光ディスク１にアクセスし、ディスク再生装置１００からの再生出力をユーザー端末２０１〜２０５で受信して、各自の希望する映像タイトルを鑑賞することができる。
【００３９】
なお、図１に示したバッファメモリ３４１〜３４５やデコーダ３５１〜３５５は、ユーザー端末２０１〜２０５側に設けてもよい。
【００４０】
〔２．ディスク選定方法の例：図３〜図６〕
上述したディスク再生システムでは、あるユーザー端末からのディスク交換要求に対して、ディスク再生装置１００のシステムコントローラ５０が、以下のような処理によって、各ユーザー端末間の調停を行う。
【００４１】
（２−１．ディスク選定方法の第１の例：図３および図４）
第１の例として、あるユーザー端末からのディスク交換要求およびディスク決定要求に対して、各ユーザー端末の間での多数決によって、ディスク交換およびディスク決定の可否を決する場合を示す。
【００４２】
図３および図４に、この場合のディスク交換決定処理の一例を示す。この例のディスク交換決定処理３１０では、ディスク再生装置１００のシステムコントローラ５０は、ある光ディスクがメカデッキ部２０にロードされている状態で、まず、ステップ３１１で、いずれかのユーザー端末からディスク交換要求があったか否かを判断し、ディスク交換要求があった場合には、ステップ３１１からステップ３１２に進んで、他のユーザー端末の表示部２１５に、ディスク交換要求があった旨を表示して、交換の可否を尋ねる。
【００４３】
具体的に、例えば、チャンネル１のユーザー端末２０１からディスク交換要求があった場合には、ユーザー端末２０２〜２０５に対して、それぞれの表示部２１５に、「ディスクの交換をしてもいいですか？」などと表示させ、チャンネル２〜５のユーザーに対して、ユーザー端末２０２〜２０５の操作部２１４での操作によって、「ＹＥＳ（賛成）」か「ＮＯ（反対）」かを応答させる。
【００４４】
次に、システムコントローラ５０は、ステップ３１３で、他のユーザー端末からの応答を受信し、さらにステップ３１４に進んで、ディスク交換を要求したユーザー端末を含む各ユーザー端末の間での多数決によって、ディスク交換が了承されたか否かを判断する。
【００４５】
例えば、ユーザー端末２０１がディスク交換を要求し、ユーザー端末２０２，２０５が賛成し、ユーザー端末２０３，２０４が反対した場合には、ディスク交換が了承されたと判断する。
【００４６】
あるユーザー端末が一定時間内にいずれの応答もしなかった場合には、例えば、そのユーザー端末はディスク交換に賛成したものとみなす。また、ユーザー端末の総数が偶数で、ディスク交換に賛成のユーザー端末と反対のユーザー端末が同数であった場合には、例えば、ディスク交換が了承されたと判断する。
【００４７】
システムコントローラ５０は、ステップ３１４で、ディスク交換が了承されなかったと判断した場合には、ステップ３１１に戻る。この場合、要求が認められなかった旨を、ディスク交換を要求したユーザー端末に対して通知し、その表示部２１５に表示させるようにしてもよい。
【００４８】
一方、システムコントローラ５０は、ステップ３１４で、ディスク交換が了承されたと判断した場合には、ステップ３１５に進んで、ディスク交換操作をする。
【００４９】
具体的に、例えば、光ディスク１ａの再生中にディスク交換要求があった場合には、光ディスク１ａをディスクチェンジャー部１０内のステージに戻し、次の光ディスク１ｂをメカデッキ部２０にロードし、光ディスク１ｂのコンテンツ管理情報を読み出して、ユーザー端末２０１〜２０５の表示部２１５に、光ディスク１ｂのタイトルや光ディスク１ｂに記録されているコンテンツの概要などを表示する。
【００５０】
次に、システムコントローラ５０は、ステップ３２１に進んで、いずれかのユーザー端末からディスク決定要求があったか否かを判断し、ディスク決定要求がなかった場合には、ステップ３２１からステップ３１５に戻って、ディスク交換操作を続行するが、ディスク決定要求があった場合には、ステップ３２１からステップ３２２に進む。すなわち、システムコントローラ５０は、いずれかのユーザー端末からディスク決定要求があるまで、ディスク交換操作を続行する。
【００５１】
いずれかのユーザー端末からディスク決定要求があった場合には、システムコントローラ５０は、ステップ３２２で、他のユーザー端末の表示部２１５に、ディスク決定要求があった旨を表示して、決定の可否を尋ねる。
【００５２】
具体的に、例えば、チャンネル５のユーザー端末２０５からディスク決定要求があった場合には、ユーザー端末２０１〜２０４に対して、それぞれの表示部２１５に、「このディスクで、いいですか？」などと表示させ、チャンネル１〜４のユーザーに対して、ユーザー端末２０１〜２０４の操作部２１４での操作によって、「ＹＥＳ（賛成）」か「ＮＯ（反対）」かを応答させる。
【００５３】
次に、システムコントローラ５０は、ステップ３２３で、他のユーザー端末からの応答を受信し、さらにステップ３２４に進んで、ディスク決定を要求したユーザー端末を含む各ユーザー端末の間での多数決によって、ディスク決定が了承されたか否かを判断する。
【００５４】
例えば、ユーザー端末２０５がディスク決定を要求し、ユーザー端末２０１，２０２が賛成し、ユーザー端末２０３，２０４が反対した場合には、ディスク決定が了承されたと判断する。
【００５５】
あるユーザー端末が一定時間内にいずれの応答もしなかった場合には、例えば、そのユーザー端末はディスク決定に賛成したものとみなす。また、ユーザー端末の総数が偶数で、ディスク決定に賛成のユーザー端末と反対のユーザー端末が同数であった場合には、例えば、ディスク決定が了承されたと判断する。
【００５６】
システムコントローラ５０は、ステップ３２４で、ディスク決定が了承されなかったと判断した場合には、ステップ３１５に戻って、ディスク交換操作を続行する。この場合、要求が認められなかった旨を、ディスク決定を要求したユーザー端末に対して通知し、その表示部２１５に表示させるようにしてもよい。
【００５７】
一方、システムコントローラ５０は、ステップ３２４で、ディスク決定が了承されたと判断した場合には、ステップ３２５に進んで、そのときメカデッキ部２０にロードされている光ディスクを、交換後のディスクとして決定する。
【００５８】
したがって、例えば、光ディスク１ａの再生中にディスク交換要求があり、それが了承されて、光ディスク１ｂがメカデッキ部２０にロードされたが、光ディスク１ｂに対してはディスク決定要求がなく、またはディスク決定要求はあったが、それが了承されず、次に光ディスク１ｃがメカデッキ部２０にロードされ、光ディスク１ｃに対してディスク決定要求があって、それが了承された場合には、最終的に光ディスク１ｃが交換後のディスクとなる。
【００５９】
なお、ディスク再生システムとして、上記の例のように５チャンネルのユーザー端末２０１〜２０５を備える場合でも、一部のチャンネルのユーザー端末が使用されていない場合もあり得る。その場合には、その使用されていないユーザー端末は、存在しないものとして扱う。
【００６０】
上述した例は、ディスク交換およびディスク決定に対する各ユーザー端末の承認権が同等の場合であるが、例えば、チャンネル１，２のユーザー端末２０１，２０２の承認権を他のチャンネル３〜５のユーザー端末２０３〜２０５の承認権の２倍の重みを有するものとして、システムコントローラ５０が、ディスク交換およびディスク決定が了承されたか否かを判断するようにしてもよい。
【００６１】
この場合には、例えば、ユーザー端末２０１からのディスク交換要求に対して、ユーザー端末２０３〜２０５が反対しても、ユーザー端末２０２が賛成すれば、賛成４票と反対３票との多数決によって、ディスク交換が了承されたものと判断されることになる。
【００６２】
（２−２．ディスク選定方法の第２の例：図５および図６）
第２の例として、あるユーザー端末からのディスク交換要求およびディスク決定要求に対して、当該ユーザー端末の優先順位に応じて、ディスク交換およびディスク決定の可否を決する場合を示す。
【００６３】
この場合、上述した例のディスク再生システムでは、あらかじめ、ユーザー端末２０１〜２０５の間で優先順位が定められる。例えば、車載用の音楽再生システムでは、チャンネル１のユーザー端末２０１が最高順位、チャンネル２のユーザー端末２０２が中間順位、チャンネル３〜５のユーザー端末２０３〜２０５が最低順位とされ、家庭用の映像再生システムでは、チャンネル１のユーザー端末２０１が第１順位（最高順位）、チャンネル２〜５のユーザー端末２０２〜２０５が第２順位（最低順位）とされる。
【００６４】
図５および図６に、この場合のディスク交換決定処理の一例を示す。この例のディスク交換決定処理３７０では、ディスク再生装置１００のシステムコントローラ５０は、ある光ディスクがメカデッキ部２０にロードされている状態で、まず、ステップ３７１で、いずれかのユーザー端末からディスク交換要求があったか否かを判断し、ディスク交換要求があった場合には、ステップ３７１からステップ３７２に進んで、ディスク交換を要求した当該ユーザー端末の優先順位が最高順位であるか否かを判断する。
【００６５】
そして、当該ユーザー端末の優先順位が最高順位である場合には、システムコントローラ５０は、ステップ３７２からステップ３７３に進んで、ディスク交換操作をする。
【００６６】
一方、当該ユーザー端末の優先順位が最高順位ではない場合には、システムコントローラ５０は、ステップ３７２からステップ３７４に進んで、優先順位が最高順位の他のユーザー端末の表示部２１５に、ディスク交換要求があった旨を表示して、交換の可否を尋ねる。
【００６７】
具体的に、上記の車載用の音楽再生システム、または家庭用の映像再生システムの場合であって、ユーザー端末２０２，２０３，２０４または２０５からディスク交換要求があったときには、チャンネル１のユーザー端末２０１に対して、その表示部２１５に、「ディスクの交換をしてもいいですか？」などと表示させ、チャンネル１のユーザーに対して、ユーザー端末２０１の操作部２１４での操作によって、「ＹＥＳ（賛成）」か「ＮＯ（反対）」かを応答させる。
【００６８】
次に、システムコントローラ５０は、ステップ３７５で、その最高順位の他のユーザー端末、すなわち上記の場合にはユーザー端末２０１からの応答を受信し、さらにステップ３７６に進んで、ディスク交換が了承されたか否かを判断する。
【００６９】
そして、ディスク交換が了承されなかった場合には、システムコントローラ５０は、ステップ３７６からステップ３７１に戻る。この場合も、要求が認められなかった旨を、ディスク交換を要求したユーザー端末に対して通知し、その表示部２１５に表示させるようにしてもよい。
【００７０】
一方、ディスク交換が了承された場合には、システムコントローラ５０は、ステップ３７６からステップ３７３に進んで、ディスク交換操作をする。
【００７１】
ステップ３７３でのディスク交換操作は、図３および図４に示した第１の例におけるステップ３１５でのディスク交換操作と同じである。
【００７２】
次に、システムコントローラ５０は、ステップ３８１に進んで、いずれかのユーザー端末からディスク決定要求があったか否かを判断し、ディスク決定要求がなかった場合には、ステップ３８１からステップ３７３に戻って、ディスク交換操作を続行するが、ディスク決定要求があった場合には、ステップ３８１からステップ３８２に進む。すなわち、システムコントローラ５０は、いずれかのユーザー端末からディスク決定要求があるまで、ディスク交換操作を続行する。
【００７３】
いずれかのユーザー端末からディスク決定要求があった場合には、システムコントローラ５０は、ステップ３８２で、ディスク決定を要求した当該ユーザー端末の優先順位が最高順位であるか否かを判断する。
【００７４】
そして、当該ユーザー端末の優先順位が最高順位である場合には、システムコントローラ５０は、ステップ３８２からステップ３８３に進んで、そのときメカデッキ部２０にロードされている光ディスクを、交換後のディスクとして決定する。
【００７５】
一方、当該ユーザー端末の優先順位が最高順位ではない場合には、システムコントローラ５０は、ステップ３８２からステップ３８４に進んで、優先順位が最高順位の他のユーザー端末の表示部２１５に、ディスク決定要求があった旨を表示して、決定の可否を尋ねる。
【００７６】
具体的に、上記の車載用の音楽再生システム、または家庭用の映像再生システムの場合であって、ユーザー端末２０２，２０３，２０４または２０５からディスク決定要求があったときには、チャンネル１のユーザー端末２０１に対して、その表示部２１５に、「このディスクで、いいですか？」などと表示させ、チャンネル１のユーザーに対して、ユーザー端末２０１の操作部２１４での操作によって、「ＹＥＳ（賛成）」か「ＮＯ（反対）」かを応答させる。
【００７７】
次に、システムコントローラ５０は、ステップ３８５で、その最高順位の他のユーザー端末、すなわち上記の場合にはユーザー端末２０１からの応答を受信し、さらにステップ３８６に進んで、ディスク決定が了承されたか否かを判断する。
【００７８】
そして、システムコントローラ５０は、ディスク決定が了承されなかった場合には、ステップ３８６からステップ３７３に戻って、ディスク交換操作を続行し、ディスク決定が了承された場合には、ステップ３８６からステップ３８３に進んで、そのときメカデッキ部２０にロードされている光ディスクを、交換後のディスクとして決定する。
【００７９】
なお、ディスク再生システムとして、上記の例のように５チャンネルのユーザー端末２０１〜２０５を備える場合でも、一部のチャンネルのユーザー端末が使用されていない場合もあり得る。その場合には、その使用されていないユーザー端末は、存在しないものとして扱う。
【００８０】
その結果、あるユーザー端末からディスク交換要求およびディスク決定要求があったとき、当該ユーザー端末の優先順位が最高順位ではなく、かつ、ほかに優先順位が最高順位の（当該ユーザー端末より優先順位が高い）ユーザー端末が存在しない場合には、第１の例のように、当該ユーザー端末を含む各ユーザー端末の間での多数決によって、ディスク交換およびディスク決定の可否を決するように、システムを構成する。
【００８１】
（２−３．ディスク選定方法の他の例）
ディスク交換については、第１の例のように、ディスク交換を要求したユーザー端末を含む各ユーザー端末の間での多数決によって、ディスク交換が了承されたか否かを判断し、ディスク決定については、第２の例のように、ディスク決定を要求したユーザー端末の優先順位に応じて、ディスク決定の可否を決するように、システムを構成してもよい。
【００８２】
逆に、ディスク交換については、第２の例のように、ディスク交換を要求したユーザー端末の優先順位に応じて、ディスク交換の可否を決し、ディスク決定については、第１の例のように、ディスク決定を要求したユーザー端末を含む各ユーザー端末の間での多数決によって、ディスク決定が了承されたか否かを判断するように、システムを構成してもよい。
【００８３】
〔３．マルチアクセスによるマルチチャンネル再生：図７および図８〕
上述したディスク再生システムにおける、光ディスク１へのマルチアクセスによる、光ディスク１のマルチチャンネル再生は、以下のように実行される。
【００８４】
例えば、光ディスク１に多数の曲のデータが記録されていて、ユーザー端末２０１，２０２，２０３を使用するユーザーが、それぞれ曲Ｍ１，Ｍ２，Ｍ３を聴こうとして、光ディスク１にほぼ同時にアクセスした場合、ディスク再生装置１００では、図７に示すように、まず、光ヘッド２３を光ディスク１上の曲Ｍ１の先頭位置に移動させ、曲Ｍ１の最初の部分Ｍ１ａのデータを読み取って、チャンネル１のバッファメモリ３４１に書き込む。
【００８５】
次に、矢印Ｓ１２で示すように、光ヘッド２３を曲Ｍ２の先頭位置まで移動させ、曲Ｍ２の最初の部分Ｍ２ａのデータを読み取って、チャンネル２のバッファメモリ３４２に書き込み、次に、矢印Ｓ２３で示すように、光ヘッド２３を曲Ｍ３の先頭位置まで移動させ、曲Ｍ３の最初の部分Ｍ３ａのデータを読み取って、チャンネル３のバッファメモリ３４３に書き込む。
【００８６】
次に、曲Ｍ１に戻って、光ヘッド２３を曲Ｍ１の次の部分Ｍ１ｂに移動させ、その部分Ｍ１ｂのデータを読み取って、バッファメモリ３４１に書き込む。以後、同様である。
【００８７】
図８（同図の「ｃｈ」はチャンネル、「シーク」は光ヘッド２３のディスク径方向への移動である）に示すように、バッファメモリ３４１，３４２，３４３に蓄積されたデータは、それぞれバッファメモリ３４１，３４２，３４３への転送レートより低いレートで、バッファメモリ３４１，３４２，３４３から読み出され、デコーダ３５１，３５２，３５３でデコードされる。
【００８８】
これによって、チャンネル１，２，３の出力ＰＢ１，ＰＢ２，ＰＢ３として曲Ｍ１，Ｍ２，Ｍ３を、それぞれ連続して再生することができる。その再生出力ＰＢ１，ＰＢ２，ＰＢ３は、ユーザー端末２０１，２０２，２０３に送信され、ユーザー端末２０１，２０２，２０３を使用するユーザーは、それぞれ曲Ｍ１，Ｍ２，Ｍ３を聴くことができる。
【００８９】
〔４．他の実施形態〕
上述した実施形態は、マルチアクセスによるマルチチャンネル再生が可能な場合であるが、光ディスクからのデータ再生は１チャンネルで、その１チャンネルの再生出力を各チャンネル（各ユーザー用）のユーザー端末に送信する場合にも、この発明を適用することができる。この場合、再生する曲や映像タイトルなどの選択についても、ディスク交換およびディスク決定につき上述した方法と同様の方法によって、ディスク再生装置の制御部が各ユーザー端末間の調停を行うように、ディスク再生装置およびディスク再生システムを構成することができる。
【００９０】
なお、音楽データや映像データなどのコンテンツデータが記録されたディスク媒体は、光ディスクに限らず、磁気ディスクや光磁気ディスクなどでもよい。また、ディスク媒体に記録されたコンテンツデータは、音楽データや映像データなどに限らず、ゲームソフトなどのコンピュータプログラムでもよい。
【図面の簡単な説明】
【００９１】
【図１】この発明のディスク再生装置の一例を示す図である。
【図２】この発明のディスク再生システムの一例を示す図である。
【図３】ディスク選定方法の第１の例の一部を示す図である。
【図４】ディスク選定方法の第１の例の一部を示す図である。
【図５】ディスク選定方法の第２の例の一部を示す図である。
【図６】ディスク選定方法の第２の例の一部を示す図である。
【図７】マルチアクセスの場合のアクセス動作を示す図である。
【図８】マルチアクセスの場合のデータ再生を示す図である。
【符号の説明】
【００９２】
主要部については図中に全て記述したので、ここでは省略する。
【図１】
2005251324.tif 000003
【図２】
2005251324.tif 000004
【図３】
2005251324.tif 000005
【図４】
2005251324.tif 000006
【図５】
2005251324.tif 000007
【図６】
2005251324.tif 000008
【図７】
2005251324.tif 000009
【図８】
2005251324.tif 000010